(57)【特許請求の範囲】
【請求項１】
トランクスからなる男性用パンツであって、
中央に膨出させた局部当て部を備えた前身頃部と、後身頃部とからなる本体と、
前記前身頃部に縫着して、前記局部当て部を外面から覆うホールド布とを備え、
前記ホールド布は股側下端から局部当て部の頂点部を越えて位置し、該ホールド布の上端辺は前記前身頃側中央の上下方向全長の中央点を挟んで上下方向全長の１０％の範囲に位置すると共に、該ホールド布の上端辺は前身頃部と縫着せずに開放とし、かつ、該ホールド布の左右両側辺は前記膨出させる局部当て部の左右外縁に位置させ、該ホールド布のパワーは前記本体の布のパワーより大としていることを特徴とする男性用パンツ。
【請求項２】
前記ホールド布は上端辺を直線状とし、左右両側辺を前身頃部と縫着し、該前身頃部と縫着する前記左右両側辺の上端間の寸法はホールド布の上端辺の寸法より大として、ホールド布により前身頃部を前身頃中心側に引張している請求項１に記載の男性用パンツ。
【請求項３】
前記ホールド布は上端辺をワサとして折り返した２枚重ね布、上端辺を縫着無しのヘム仕様またはフリーカットとして、上端辺に沿った縫着部を設けていない請求項１または請求項２に記載の男性用パンツ。
【発明の詳細な説明】
【技術分野】
【０００１】
本発明はトランクスからなる男性用パンツに関し、特に、男性陰部（以下、局部と称す）を安定保持するものである。
【背景技術】
【０００２】
従来、局部をホールドする機能を有する男性用パンツとして、実開平７−３８１０２号（特許文献１）で、図６に示す男性用パンツが提供されている。該パンツ１００は、その内側に、上端バンド部に左右上端を固定すると共に、下端を二股の内側付け根の中央に縫着した３点固定のサホータ１０１を備え、該サホータ１０１で陰嚢を締め付けずに、安定した状態で収容している。
また、特開平８−７４１０１号公報（特許文献２）の男性用パンツは、図７に示すように、パンツ生地１０３の前面内側に、陰茎挿入用のポケット１０４を設けている。
【０００３】
前記特許文献１、２の男性用パンツは、いずれもパンツ本体の内面側に局部を収容するサポータ１０１またはポケット１０４を設けた構成である。
このように、パンツ本体の内面側に局部のホールド部材を取り付けていると、スポーツ時や日常の挙動時において、ホールド部材から局部が外れた場合、パンツ内部に手を入れてホールド部材内に局部を収容しなおす必要があるが、公衆上および頻繁にはやりにくい問題がある。また、ホールド部材から局部が外れたままの状態にしておくと、違和感が生じると共に、外観に響く場合には外観上で好ましくない形状となる。
【０００４】
また、特許第３００８０８０号公報（特許文献３）に開示された図８に示すブリーフ状の男性用パンツ１０５では、前身頃部１０６の上部布１０７に対して局部箇所から股側下端にかけて４枚以上重ねた前身中央片１０８を縫着して形成し、該前身中央片１０８により略ペン先形状となる前部膨出部を設けている。
【０００５】
特許文献３の男性用パンツでは、パンツ本体に４枚重ね以上の前身中央片を設けて局部を保持しているため、局部に対する締め付け感が発生すると認められる。また、ブリーフ型パンツであるため、蒸れは発生しにくいと認められるが、トランクス型のパンツで特許文献３の構成とすると蒸れたり湿ったりしやすくなる。
【０００６】
【特許文献１】実開平７−３８１０２号
【特許文献２】特開平８−７４１０１号公報
【特許文献３】特許第３００８０８０号公報
【発明の開示】
【発明が解決しようとする課題】
【０００７】
本発明は前記した問題が鑑みてなされたもので、スポーツ等の挙動時にも局部からホールド部材が外れることはなく、かつ、締め付け感等がなく着用感の良いトランクス型の男性用パンツを提供することを課題としている。
【課題を解決するための手段】
【０００８】
前記課題を解決するため、本発明は、
トランクスからなる男性用パンツであって、
中央に膨出させた局部当て部を備えた前身頃部と、後身頃部とからなる本体と、
前記前身頃部に縫着して、前記局部当て部を外面から覆うホールド布とを備え、
前記ホールド布は股側下端から局部当て部の頂点部を越えて位置し、該ホールド布の上端辺は前記前身頃側中央の上下方向全長の中央点を挟んで上下方向全長の１０％の範囲に位置すると共に、該ホールド布の上端辺は前身頃部と縫着せずに開放とし、かつ、該ホールド布の左右両側辺は前記膨出させる局部当て部の左右外縁に位置させ、該ホールド布のパワーは前記本体の布のパワーより大としていることを特徴とする男性用パンツを提供している。
【０００９】
前記のように、本発明では、パンツの前身頃部の内面側ではなく、局部当て部を外面から覆うホールド布を設けている。該ホールド布は、その左右両側辺を局部当て部の左右外縁に位置させ、該局部当て部の左右外縁は着用時に鼠径溝に沿う位置に設けているため、ホールド布の左右両側辺も鼠径溝に沿って位置することとなる。スポーツ時や日常の挙動時に局部が移動しても、局部は左右両側の鼠径溝の間に位置するため、局部がホールド布で被覆している位置からずれることはなく、局部を常時安定保持することができる。
かつ、該ホールド布は外面側に設けて、局部に直接に接触させないため、局部に対する締め付け感や蒸れを発生させない。
【００１０】
さらに、外側からの保持であるが、該ホールド布の上端位置を局部当て部の頂点部の近くに設け、かつ、ホールド布のパワーを本体布のパワーより大きくしているため、外側からでも局部を安定して保持することができる。かつ、該ホールド布の上端は本体の前身頃布と縫着していないため、前身頃部の伸びを阻害せず、局部により局部当て部をスムーズに膨出させることができる。よって、局部に締付感を与えず、開放感を損なわないと共に違和感も発生させない。
さらにまた、ホールド布の下端は股部までとし、大腿部を囲む脚側までは延在させていないため、大腿部をホールド布で締め付けることはない。
【００１１】
前記ホールド布は上端辺を直線状とし、左右両側辺を前身頃部の布と縫着し、該前身頃部と縫着する前記左右両側辺の上端間の寸法はホールド布の上端辺の寸法より大として、ホールド布により前身頃部を前身頃中心側に引っ張っている。
【００１２】
前記したように、ホールド布は前身頃部の左右両側を引っ張るように縫着しているため、ホールド布のパワーが高められ、局部を安定保持できる。かつ、前身頃部を中央側に引っ張ることにより、前身頃部で覆われる局部を前身頃中央に寄せることができ、ホールド布でしっかりと保持することができる。
【００１３】
本発明のトランクス型パンツを、股部の左右両側に左右足回り（履き口）を設けた短尺なパンツとした場合は、前記ホールド布の下端は左右足回りの内股側に位置させることが好ましい。
左右足回りを股部より下方へ位置させた長めのトランクス型パンツとした場合には、ホールド布の下端は左右足回り端まで延在させずに、股部位置を下辺とする略台形状とすることが好ましい。
なお、前記短尺型や長め型のいずれの場合も、ホールド布を三角形状とし、下頂点を股部中央位置としてもよい。
【００１４】
前記ホールド布は上端辺をワサとして折り返した２枚重ね布、上端辺を縫着不要のヘム仕様またはフリーカットとして、上端辺に沿った縫着部を設けていないことが好ましい。
ホールド布の上端辺は前身頃部を介して局部に当たる位置となるため、前記のように縫着部を設けていないことにより、当たりを柔らかくでき、違和感を生じさせない。
また、前記のように、上端辺をワサとして折り返した２枚重ね布とした場合、前身頃部の本体布と同一素材を用いてホールド布を形成すると、パワーを大とすることができる。
【００１５】
前記前身頃部の構成は限定されず、従来汎用されているトランクス型パンツと同様な形状でもよい。例えば、前身頃布の中央部を刳り貫いて左右一対の局部当て布と縫着し、これら局部当て布を膨出するように縫着している。さらに、該局部当て布の左右両側に中間布を介在させて左右外側布と縫着してもよい。また、左右一対の前身頃布を中央縫着部で膨出するように縫着する簡単な構成でもよい。
後身頃部の構成も限定されず、一枚の後身頃布で形成しても良いし、中央後部布の両側後部布を脇側で前身頃両側布と連続させて、三枚接ぎタイプとしてもよい。
【００１６】
前身頃部および後身頃部を構成する布およびホールド布としては、伸縮性を有する編地が好ましく、例えば、ポリウレタン５％のベア天竺編地が好適に用いられる。
【００１７】
本発明のトランクス型パンツは、前記前身頃側の布と後身頃側の布の上端に沿って帯状のゴムバンドを取り付けている。このゴムバンド位置は着用時にウエストラインより７〜１２ｃｍ下方に位置するローウエスト型とすることが好ましい。
前記した前身頃部の上下方向全長とは、本発明では、ゴムバンドを含めた上下方向全長で規定している。該上下方向の全長は１７ｃｍ〜２２ｃｍとすることが好ましい。
【発明の効果】
【００１８】
上述したように、本発明のトランクス型パンツでは、局部を安定保持するホールド布をパンツ本体の前身頃部の外側に設け、局部と直接に接触させないため、局部に締付感を与えない。かつ、該ホールド布の左右両側辺が着用時に鼠径溝に位置するように設定しているため、スポーツ時や日常の挙動時に局部が移動しても、ホールド布で覆われた部分から局部が外れることはなく、常時、ホールド布で局部を安定保持することができる。
【発明を実施するための最良の形態】
【００１９】
以下、本発明のパンツの実施形態を図面を参照して説明する。
図１乃至図３に示すように、パンツ１は左右足回り（履き口）２Ａ、２Ｂが股部３の左右に位置し、上下長さが比較的短い短尺なトランクス型の男性用パンツからなる。
【００２０】
パンツ１は、中央に膨出させた局部当て部５を備えた前身頃部６と、後身頃部７とからなる本体と、前身頃部６と後身頃部７の上端に縫着した比較的太幅の帯状のゴムバンド９と、局部当て部５を外面から覆うホールド布１０を備えている。
【００２１】
ホールド布１０の下端辺１１は、図１（Ａ）に示すように、前身頃部６と後身頃部７との下端縫着位置である股部に位置し、該前後身頃部６、７の下端と共に縫着している。
ホールド布１０の上端辺１２は、局部当て部５の最も突出した頂点部Ｐ２より上方位置で、かつ、前身頃側中央の上下方向全長Ｌの中央点Ｐ１を挟んで上下方向全長Ｌの１０％の範囲に位置させている。前記上下方向全長Ｌはゴムバンド９を含めて規定しており、全長Ｌの上端はゴムバンド９の上端をさす。本実施形態では、ホールド布１０の上端辺１２の前身頃側の中央点を前記中央点Ｐ１に位置させている。
【００２２】
該ホールド布１０の上端辺１２は前身頃部６と縫着せずに開放し、ホールド布１０の左右両側辺１３、１４を前身頃部６と縫着している。該左右両側辺１３、１４の縫着位置は、局部当て部５の左右外縁に位置させている。該局部当て部５の左右外縁は着用者の鼠径溝に当たる位置に設けているため、ホールド布１０の左右両側辺１３、１４は着用者の鼠径溝に位置し、ホールド布１０は鼠径溝Ｌ５に挟まれた領域に位置する。
【００２３】
詳細には、前身頃部６は、前身頃中心ラインを挟む左右一対の前身頃中央布２０Ａ、２０Ｂと、その左右両側の左右中間布２１Ａ、２１Ｂと、該左右中間布２１Ａ、２１Ｂの左右両側の左右外側布２２Ａ、２２Ｂとからなる。
前身頃中央布２０Ａ、２０Ｂはゴムバンド９と縫着する上端から股部まで延在し、前側へ膨出するように立体裁断し、縫着状態で膨出した局部当て部５を前身頃部６の中央部に形成している。該前身頃中央布２０Ａと２０Ｂの縫着部は前身頃中心ラインに位置する。前記局部当て部５の最も前方に突出した頂点部Ｐ２は、前記上下方向全長の中央点Ｐ１と同一点である前記ホールド布１０の上端辺１２の中央点より１０ｍｍ程度下方に位置している。
後身頃部７は、前記左右外側布２２Ａ、２２Ｂを脇線ラインを越えて背面側へと延在させた左右両側部と、該背面側の左右外側布２２Ａ、２２Ｂに両側を縫着して介在させた背面中央布２３とからなる。
【００２４】
前記ホールド布１０は、図２に示すパターン形状とし、上端辺１２を直線状とし、上端辺１２の左右両側辺１３、１４が左右方向の外方へ傾斜して連続し、該左右両側辺１３、１４の下端より左右足回り部分となる内向きに傾斜した左右下部両側辺１５、１６を連続させ、左右下部両側辺１５、１６の間に大きな曲率で上方に湾曲させた下端辺１１を設けている。
【００２５】
前記ホールド布１０の左側辺１３は前身頃部６の左側中間布２１Ａと左外側布２２Ａとの縫着部Ｈ１に重ね合わせて縫着し、右側辺１４は前身頃６の右側中間布２１Ｂと右外側布２２Ｂとの縫着部Ｈ２に重ね合わせて縫着している。
ホールド布１０の上端辺１２の寸法Ｌ１は、左右の縫着部Ｈ１とＨ２との間の寸法Ｌ２より短くし、本実施形態では３ｃｍの寸法差としている。この寸法差のあるホールド布１０の上端辺１２の左右両端を前記縫着部Ｈ１、Ｈ２と縫着すると、左右外側布２２Ａ、２２Ｂは前身頃中央側に引っ張られた状態となる。ホールド布１０も左右両側に引っ張られるが、後述するように、ホールド布１０のパワー（引張力）は前身頃部５の左右中間布２１Ａ、２１Ｂ、左右外側布２２Ａ、２２Ｂのパワーより大としているため、左右外側布２２Ａ、２２Ｂが前身頃中央に引っ張られる。よって、図１（Ａ）に示すように、左右中間布２１Ａ、２１Ｂはホールド布１０の内部側で弛んだ状態となり、局部により前側へ膨出できる。
このように、局部当て部５は実質的に前身頃中央布２０Ａ、２０Ｂと左右中間布２１Ａ、２１Ｂとで構成し、局部当て部５の左右外縁は縫着部Ｈ１、Ｈ２となる。
局部当て部５の左右外縁となる縫着部Ｈ１，Ｈ２は着用者の鼠径溝に当たる位置に設けているため、前記のように、ホールド布１０の左右両側辺１３、１４は着用時に着用者の鼠径溝に位置し、ホールド布１０は鼠径溝に挟まれた領域に位置する。
【００２６】
前記ホールド布１０の左下部側辺１５は前身頃部の左側布２１Ａの下端と縫着して、大腿部の付け根に位置する左足回り２Ａの内股側を形成し、右下部側辺１６は前身頃部の右側布２１Ｂの下端と縫着して右足回り２Ｂの内股側を形成している。
【００２７】
本実施形態では、図２（Ｂ）の展開形状に示すように、ホールド布１０は上端辺１２を折り返した２枚重ねの布としている。
よって、図２（Ｃ）に示すように、上端辺１２はワサとなって縫着部が存在しない。また、左右両側辺１３、１４、左右下部両側辺１５、１６および下端辺１１の先端は２枚となり、これらの２枚の布の端縁を、前記のように、前身頃部６の布と縫着している。
【００２８】
ホールド布１０はポリウレタン５％のベア天竺からなる伸縮性編地で形成し、前記前身頃部６および後身頃部７もホールド布１０と同じベア天竺から形成し、布自体の伸縮力（パワー）は同じとしてる。
しかしながら、ホールド布１０は二つ折りしているため、前後身頃部６、７に対してパワーを２倍となる。
【００２９】
前記構成としたトランクス型の男性用パンツ１は、図３（Ａ）（Ｂ）に示す着用状態となる。  
ホールド布１０の左右両側辺１３、１４は、着用者の左右鼠径溝Ｌ５、Ｌ５に沿って位置すると共に、着用状態で上端辺１２は局部当て部５の膨出点Ｐ２の近傍に位置する。
よって、着用者がスポーツ時や日常の挙動時に局部の位置が若干移動しても、左右鼠径溝Ｌ５に挟まれた範囲内での移動であるため、局部はホールド布１０に覆われた範囲内と位置し、局部がホールド布１０で覆われた位置から外れることはない。よって、前身頃部６よりパワーのあるホールド布１０でしっかりと安定保持できる。
【００３０】
さらに、前身頃部６の局部当て部５自体が、左右外側布２３Ａ、２３Ｂが前身頃中央に引っ張られているため、移動しようとする局部を前中心位置からずれないように作用する。この作用と相俟って、ホールド布１０から外れた位置に局部が移動しにくくなり、ホールド１０で局部を安定保持することができる。
【００３１】
さらにまた、ホールド布１０は前身頃部６の外面側に設けているため、局部に直接に接触せず、局部に対する締め付け感や蒸れを発生させない。
かつ、ホールド布１０の保持は前身頃部６の局部当て部５の外側からの保持であるが、ホールド布１０の上端辺１２を局部当て部５の頂点部Ｐ２を越えた上側位置に設け、かつ、ホールド布１０のパワーを前後身頃部６、７の本体布のパワーより大きくしているため、外側からでも局部を安定して保持することができる。かつ、ホールド布１０の上端辺１２は前身頃部６の布と縫着していないため、前身頃部６の局部当て部５が局部により膨出する際にホールド布１０は局部当て部５の伸びを阻害せず、局部の開放感を損なわない。さらに、ホールド布１０の上端辺１２をワサとしているため、局部への当たりを柔らかくしているため、着用者に違和感を与えない。
【００３２】
図４に、第二実施形態を示す。
第二実施形態のパンツ１−Ａは、第一実施形態のトランクス型のパンツよりも、左右足回り２Ａ、２Ｂの位置を股部の位置より大腿部側に向けて若干延在させている。
ホールド布１０は大腿部側に延在させないことが好ましいため、ホールド布１０は図示のように上端辺１２を長辺とする略台形状とし、下端辺１１を股部３で縫着している。また、ホールド布１０は１枚布とし、前身頃部６の布よりも伸縮力が大きいパワーのある布を用いている。かつ、上端辺１２は端末縫製が不要なヘム仕様の布で形成している。
他の構成および作用は第一実施形態と同様であり、同一符号を付して説明を省略する。
なお、ホールド布１０は、上端辺１２がヘム仕様となる布に代えて、端末縫製が不要なフリーカットができるの布で形成してもよい。
【００３３】
図５に、第三実施形態を示す。
第三実施形態のトランクス型パンツ１−Ｂの長さは第二実施形態とのパンツ１−Ａと同様としている。
ホールド布１０は図示のように三角形状とし、下端１１’は三角形の下頂点とし、該下端１１’を股部３と縫着している。
さらに、左右外側布２２Ａ、２２Ｂの外面側に、縫着部Ｈ１、Ｈ２に沿って図示のようにメッシュ４０Ａ、４０Ｂを縫着している。該メッシュ４０Ａ、４０Ｂはパワーを有する弾性糸をメッシュ状に編成したものであり、左右足回り２Ａ、２Ｂに向けてゴムバンド９と縫着する上端から次第に面積を拡大し、下端を左右足回り２Ａ、２Ｂまで延在させている。
【００３４】
このように、前身頃部６の中央の局部当て部５を挟む左右外側布２３Ａ、２３Ｂの外面にパワーのあるメッシュ４０Ａ、４０Ｂを配置することにより、局部の左右方向の移動を抑制できると共に、デザイン上の特徴を出すことができる。
他の構成および作用は第一実施形態と同様であるため、同一符号を付して説明を省略する。
【００３５】
なお、本発明の男性用パンツは、前記第一〜第三実施形態に限定されず、左右の脚部の長さを更に大として下方へ延在させてもよい。また、前身頃部で前身頃中央布と左右外側布の間に左右中間布を設けているが、該左右中間布を省略して、前身頃中央布に左右外側布を縫着してもよく、本発明の要旨を越えない範囲で種々の形態が含まれる。
【図面の簡単な説明】
【００３６】
【図１】本発明の男性用パンツの第一実施形態を示し、（Ａ）は正面図、（Ｂ）は背面図である。
【図２】ホールド布を示し、（Ａ）は二つ折りしたホールド布の正面図、（Ｂ）は二つ折り前の展開図、（Ｃ）は要部拡大断面図である。
【図３】（Ａ）（Ｂ）はパンツの着用状態を示す図面である。
【図４】第二実施形態のパンツの正面図である。
【図５】第三実施形態のパンツの正面図である。
【図６】従来例を示す図面である。
【図７】他の従来例を示す図面である。
【図８】他の従来例を示す図面である。
【符号の説明】
【００３７】
１  男性用パンツ
２Ａ、２Ｂ  左右足回り（履き口）
３  股部
５  局部当て部
６  前身頃部
７  後身頃部
９  ゴムバンド
１０  ホールド布
１１  下端辺
１２  上端辺
１３、１４  左右側辺
【図１】
0005407165.tif 000002
【図２】
0005407165.tif 000003
【図３】
0005407165.tif 000004
【図４】
0005407165.tif 000005
【図５】
0005407165.tif 000006
【図６】
0005407165.tif 000007
【図７】
0005407165.tif 000008
【図８】
0005407165.tif 000009